(57)【要約】【課題】足首の捻挫や亜脱臼を比較的早期に回復させることができる足首用シーネを提供する。【解決手段】下腿部から足首近傍までをサポートする断面略Ｕ字状の下腿サポート部２と、この下腿サポート部２の下端から前方に向かって延びて足底を支える足底支持部３と、からなり、前記下腿サポート部２と前記足底支持部３のなす角度θが９５〜１０５度である、足首用シーネ１とした。このとき、下腿サポート部２と足底支持部３の間に、踵を逃がすための開孔10を設けることが好ましい【選択図】図１
2017093538.tif 000002
【特許請求の範囲】
【請求項１】
下腿部から足首近傍までをサポートする断面略Ｕ字状の下腿サポート部と、
この下腿サポート部の下端部から前方に向かって延びて足底を支える足底支持部と、からなり、
前記下腿サポート部と前記足底支持部のなす角度が９５〜１０５度である、
足首用シーネ。
【請求項２】
下腿サポート部と足底支持部の間に、踵を逃がすための開孔を設けた、
請求項１記載の足首用シーネ。
【請求項３】
熱可塑性樹脂からなる、
請求項１又は２記載の足首用シーネ。
【請求項４】
外側表面が凹凸状である、
請求項１〜３いずれか記載の足首用シーネ。
【発明の詳細な説明】
【技術分野】
【０００１】
本発明は足首用シーネに関する。特に柔道整復などに用いることができる足首用シーネ（柔整シーネ）に関する。
【背景技術】
【０００２】
捻挫や亜脱臼などの際には、患部を保持するシーネが用いられる。シーネは固定バンドを巻き付けるなどして人体に装着される。
【０００３】
シーネの従来例としては、例えば、下記特許文献１に記載されたものがある。本文献には、「シーネ本体が、第１フィルムと第２フィルムを重ね合わせ、該第１フィルムと第２フィルム間を線状に熱融着して、複数の空気セルを長手方向及び短手方向に複数個設けて形成され、該複数の空気セル内に空気注入口から空気を注入して使用する簡易型シーネであって、該シーネ本体は、縦方向に延びる複数の長尺空気セルを並設した第１保持部と、該第１保持部の端部に一体的に且つ該第１保持部と略直角状態に設けられ、該第１保持部の長尺空気セルと連通する多数の短尺空気セルを有する第２保持部とを備え、該第１保持部と該第２保持部の角縁部が所定長の熱融着縁部で熱融着され、該第１保持部及び該第２保持部の長尺空気セルへの空気注入によって、該第１保持部と該第２保持部の略直角の角部がその横断方向に円弧状に曲げられ、上肢または下肢の患部が該第１保持部と該第２保持部間の角部の内側に挿入され、該患部を該シーネ本体により保持することを特徴とする簡易型シーネ。」が記載されている。
【０００４】
しかし、特許文献１記載のシーネは、捻挫や亜脱臼などの際に、あくまで応急処置として、患部が動かないように保持することが目的であり、足首の捻挫を早期に回復させることを目的とするものではなかった。
【先行技術文献】
【特許文献】
【０００５】
【特許文献１】特開２０１５−３３５５４号公報
【発明の概要】
【発明が解決しようとする課題】
【０００６】
本発明は、上述の事柄に留意してなされたものであって、足首の捻挫や亜脱臼を比較的早期に回復させることができる足首用シーネに関する。
【課題を解決するための手段】
【０００７】
上記課題を解決するために、本発明のシーネは、下腿部から足首近傍までをサポートする断面略Ｕ字状の下腿サポート部と、この下腿サポート部の下端部から前方に向かって延びて足底を支える足底支持部と、からなり、前記下腿サポート部と前記足底支持部のなす角度が９５〜１０５度である構成とした。
【０００８】
この足首用シーネは、下腿サポート部と足底支持部のなす角度が９５〜１０５度であることで、足首の捻挫を比較的早期に回復させることができる。下腿サポート部と足底支持部のなす角度が９５度以上であることで、患者がストレスや痛みを感じにくく治りが早くなる。また、下腿サポート部と足底支持部のなす角度が１０５度以下であることで、距骨と腓骨の間に外側靱帯が挟まれてストレスを受ける現象が生じにくくなり、やはり治りが早くなる。下腿サポート部と足底支持部のなす角度は９７〜１０３度であることが好ましく、最も好ましくは１００度である。
【０００９】
本願発明者は、柔道整復師のほか、日本柔道整復接骨医学会認定柔道整復師、機能訓練指導員認定柔道整復師、社会福祉士などの多くの資格を有し、接骨院やメディカルトレーニングセンタなどを経営するとともに日々多くの患者と対峙している。そのなかで、足首の捻挫や亜脱臼の事例は比較的多いのであるが、驚くべき事に、ある特定の角度で足首を固定すると回復が早くなることを見いだしたのである。本発明は上記知見に基づくものである。
【００１０】
下腿サポート部と足底支持部の間に、踵を逃がすための開孔を設けた足首用シーネとすることができる。
【００１１】
この足首用シーネは、足首に装着した際に開孔から踵が外側に逃げやすくなり、下腿サポート部と足底支持部のなす角度（９５〜１０５度）に足首の角度を合わせやすくなる。
【００１２】
熱可塑性樹脂からなる足首用シーネとすることもできる。
【００１３】
この足首用シーネは熱可塑性樹脂を用いているため、足首に装着する際に、下腿サポート部又は足底支持部をドライヤーなどで暖めて軟化させ、患者等にフィットさせることができる。
【００１４】
外側表面が凹凸状である足首用シーネとすることも好ましい。
【００１５】
この足首用シーネは、外側表面が凹凸状であるため、固定バンドを用いて足首用シーネをしっかりと固定することができる。
【発明の効果】
【００１６】
本発明により、足首の捻挫や亜脱臼を比較的早期に回復させることができる足首用シーネを提供することができる。
【図面の簡単な説明】
【００１７】
【図１】足首用シーネの斜視図である。
【図２】図１の足首用シーネの左側面図である。
【図３】足首用シーネを装着した状態を例示した写真である。
【図４】足首用シーネの正面写真である。
【図５】足首用シーネの背面写真である。
【図６】足首用シーネの上面写真である。
【図７】足首用シーネの底面写真である。
【図８】足首用シーネの右側面写真である。
【図９】足首用シーネの斜視写真である。
【発明を実施するための形態】
【００１８】
以下、図を用いて足首用シーネを例示説明する。足首用シーネは、下腿サポート部と足底支持部とからなる。また、以下の実施形態では、足首用シーネに開孔が設けてある。以下、各構成要素について例示説明するが、本発明およびその構成要素は、以下の説明に限定されるものではない。
【００１９】
１．下腿サポート部
下腿サポート部２は、下腿部から足首近傍までをサポートする。本例では、下腿部から足首近傍に後方から宛がわれて、これらをサポートする。また、下腿サポート部２は、断面略Ｕ字状である。具体的には、下腿部から足首近傍に後方から沿う下腿サポートベースと、この下腿サポートベースの左右から前方に延びる左右の下腿サポート壁とで構成される。
【００２０】
２．足底支持部
足底支持部３は、下腿サポート部２の下端部から前方に向かって延びて足底を支える。本例では、足底支持部３は断面略Ｕ字状であり、下腿サポート部２の下端部から開孔10（詳細は後述）を隔て、前方に向かって延びて足底に沿う足底支持ベースと、この足底支持ベースの左右から前方に延びる左右の足底支持壁とで構成される。
【００２１】
３．開孔
本実施形態の足首用シーネ１は開孔10を有する。開孔10は、足首用シーネ１を足首に装着した際に踵を逃がすものであり、下腿サポート部２と足底支持部３の間に設けてある。開孔10によって、下腿サポート部２と足底支持部３のなす角度（９５〜１０５度）に足首の角度を合わせやすくなる。開孔10の左右は下腿サポート部２と足底支持部３を繋ぐ連結部12となる。
【００２２】
４．足首用シーネ 
そして、下腿サポート部２と足底支持部３のなす角度θは９５〜１０５度である。具体的には、図１および図２に示す様に、下腿サポート部２の左右中央を通る直線（上端縁と開孔に隣接する端縁とを結んだ直線）、および足底支持部３の左右中央を通る直線（前端縁と開孔に隣接する端縁とを結んだ直線）のなす角度θが９５〜１０５度となる。下腿サポート部と足底支持部のなす角度が９５〜１０５度であることで、足首の捻挫や亜脱臼を比較的早期に回復させることができる。
【００２３】
足首用シーネ１の材質は特に制限されないが、樹脂製が好ましく、なかでも熱可塑性樹脂がより好ましい。足首用シーネ１には、ある程度の固さが必要であるが、力を加えるとしなって変形する程度の固さであることが好ましい。このような観点から、本例ではポリプロピレン樹脂（ＰＰ樹脂）を用い、厚みが概ね２ｍｍの足首用シーネ１とした。ポリプロピレン樹脂（ＰＰ樹脂）を用いる場合、足首用シーネの厚みは１．５〜２．５ｍｍであることが、固さと柔軟性のバランスがとれており好ましい。
【００２４】
また、本実施形態では、足首用シーネ１の外側表面11（人体と対面しない側）を凹凸状としてある。表面にいわゆる「ざらつき」を持たせてある。これによって、固定バンド５を用いて足首用シーネ１をしっかりと固定することができる。
【００２５】
５．足首用シーネの装着方法
足首用シーネ１を装着した様子を図３に例示する。本例では、足首用シーネ１と人体Ｂの間にクッション材４を挟み、固定バンド５を巻き付けて装着している。装着に際しては、下腿サポート部２又は足底支持部３をドライヤーなどで暖めて軟化させ、断面略Ｕ字状のカーブを人体にフィットさせることができる。
【００２６】
以上、特定の実施形態を参照して本発明を例示説明したが、本発明は上記実施形態に限定されるものではなく、当該技術分野における熟練者等により、本出願の願書に添付された特許請求の範囲から逸脱することなく、種々の変更及び修正が可能である。
【００２７】
なお、図４〜９に足首用シーネの意匠写真を示す。左側面写真は、図８の右側面写真と左右対称に表れる。この足首用シーネ（足首用固定具）は、２ｍｍ厚のポリプロピレン樹脂製であり、優れた美感を備えたものでもある。
【符号の説明】
【００２８】
１  足首用シーネ
10  開孔
11  外側表面
12  連結部
２  下腿サポート部
３  足底支持部
４  クッション材
５  固定バンド
Ｂ  人体
【図１】
2017093538.tif 000003
【図２】
2017093538.tif 000004
【図３】
2017093538.tif 000005
【図４】
2017093538.tif 000006
【図５】
2017093538.tif 000007
【図６】
2017093538.tif 000008
【図７】
2017093538.tif 000009
【図８】
2017093538.tif 000010
【図９】
2017093538.tif 000011